(57)【要約】【課題】  無線システム用のチャネル品質情報フィードバック技術を開示する。【解決手段】  装置は、マッチング率値に基づいて、加入局によって測定されるべき直交周波数分割多重接続システムのリソースブロックの数を表すチャネル品質指標フィードバック寸法値を決定する基地局ロジックを有する基地局と、加入局にチャネル品質指標フィードバック寸法値を送信する送受信機とを備え得る。その他の実施形態も記載および請求される。【選択図】  図１
2010514372.tif 000002
【特許請求の範囲】
【請求項１】
マッチング率値に基づいて、加入局によって測定されるべき直交周波数分割多重接続システムのリソースブロックの数を表すチャネル品質指標フィードバック寸法値を決定する基地局ロジックを有する基地局と、
前記加入局に前記チャネル品質指標フィードバック寸法値を送信する送受信機と
を備える装置。
【請求項２】
前記基地局ロジックは、前記チャネル品質指標フィードバック寸法値を大きくして、前記マッチング率値を大きくする
請求項１に記載の装置。
【請求項３】
前記基地局ロジックは、前記システムに対してサービスを要求している加入局の数を表す加入局値と、前記システムに割り振られているリソースブロックの数を表すマッチング群値と、前記加入局に割り当てられているリソースブロックの数を表すマッチングサイズ値とに基づいて前記マッチング率値を決定する
請求項１に記載の装置。
【請求項４】
前記チャネル品質指標フィードバック寸法値を受信して、前記チャネル品質指標フィードバック寸法値が指し示す１以上のリソースブロックのチャネル品質を測定して、前記チャネル品質の測定値を表すチャネル品質指標を前記基地局に送信する加入局ロジックを有する加入局
を備える、請求項１に記載の装置。
【請求項５】
前記送受信機に結合されている全方向性アンテナ
を備える、請求項１に記載の装置。
【請求項６】
マッチング率値に基づいて、加入局によって測定されるべき直交周波数分割多重接続システムのリソースブロックの数を表すチャネル品質指標フィードバック寸法値を決定する段階と、
前記加入局に前記チャネル品質指標フィードバック寸法値を送信する段階と
を備える方法。
【請求項７】
前記加入局からの前記チャネル品質指標フィードバック寸法値が指し示す前記リソースブロックについてのチャネル品質測定値を表すチャネル品質指標を受信する段階
を備える、請求項６に記載の方法。
【請求項８】
前記チャネル品質指標フィードバック寸法値を大きくすることで、前記マッチング率値を大きくさせる段階
を備える、請求項６に記載の方法。
【請求項９】
リソースブロックが割り振られている加入局の数と、前記システムに対してサービスを要求している加入局の数または前記システムに割り振られているリソースブロックの数との比率を表す前記マッチング率値を決定する段階
を備える、請求項６に記載の方法。
【請求項１０】
前記システムに対してサービスを要求している加入局の数を表す加入局値と、前記システムに割り振られているリソースブロックの数を表すマッチング群値と、前記加入局に割り当てられているリソースブロックの数を表すマッチングサイズ値とに基づいて前記マッチング率値を決定する段階
を備える、請求項６に記載の方法。
【請求項１１】
前記システムに対してサービスを要求する加入局の数を表す加入局値に基づいて前記マッチング率値を決定する段階
を備え、
前記マッチング率値は、前記加入局値が大きくなると、小さくなる
請求項６に記載の方法。
【請求項１２】
前記チャネル品質指標フィードバック寸法値を大きくすることで、前記マッチング率値を大きくさせる段階
を備える、請求項６に記載の方法。
【請求項１３】
基地局からのチャネル品質指標フィードバック寸法値を加入局で受信する段階と、
前記チャネル品質指標フィードバック寸法値が指し示す、直交周波数分割多重接続システムの１以上のリソースブロックについてチャネル品質を測定する段階と、
前記チャネル品質の測定値を表すチャネル品質指標を前記基地局に送信する段階と
を備える方法。
【請求項１４】
未割り当てのリソースブロックを特定する段階と、
前記チャネル品質指標フィードバック寸法値が指し示す、複数の前記未割り当てのリソースブロックについてチャネル品質を測定する段階と
を備える、請求項１３に記載の方法。
【請求項１５】
定められたリンク品質値よりもリンク品質値が低い割り当て済みリソースブロックを特定する段階と、
前記チャネル品質指標フィードバック寸法値が指し示す、複数の前記割り当て済みリソースブロックについてチャネル品質を測定する段階と
を備える、請求項１３に記載の方法。
【請求項１６】
命令を含む格納媒体を備える物品であって、
前記命令は、実行されるとシステムに
マッチング率値に基づいて、加入局によって測定されるべき直交周波数分割多重接続システムのリソースブロックの数を表すチャネル品質指標フィードバック寸法値を決定させて、
前記加入局に前記チャネル品質指標フィードバック寸法値を送信させる
物品。
【請求項１７】
実行されると前記システムに、前記加入局からの前記チャネル品質指標フィードバック寸法値が指し示す前記リソースブロックについてのチャネル品質測定値を表すチャネル品質指標を受信させる命令
をさらに備える、請求項１６に記載の物品。
【請求項１８】
実行されると前記システムに、前記チャネル品質指標フィードバック寸法値を大きくさせて前記マッチング率値を大きくする命令
をさらに備える、請求項１６に記載の物品。
【請求項１９】
実行されると前記システムに、リソースブロックが割り振られている加入局の数と、前記システムに対してサービスを要求している加入局の数または前記システムに割り振られているリソースブロックの数との比率を表す前記マッチング率値を決定させる命令
をさらに備える、請求項１６に記載の物品。
【請求項２０】
実行されると前記システムに、前記システムに対してサービスを要求している加入局の数を表す加入局値と、前記システムに割り振られているリソースブロックの数を表すマッチング群値と、前記加入局に割り当てられているリソースブロックの数を表すマッチングサイズ値とに基づいて前記マッチング率値を決定させる命令
をさらに備える、請求項１６に記載の物品。
【請求項２１】
実行されると前記システムに、前記システムに対してサービスを要求する加入局の数を表す加入局値に基づいて前記マッチング率値を決定させる命令をさらに備え、
前記マッチング率値は、前記加入局値が大きくなると、小さくなる
請求項１６に記載の物品。
【請求項２２】
実行されると前記システムに、前記チャネル品質指標フィードバック寸法値を大きくさせて、前記マッチング率値を大きくする命令
をさらに備える、請求項１６に記載の物品。
【請求項２３】
命令を含む格納媒体を備える物品であって、
前記命令は、実行されるとシステムに
基地局からのチャネル品質指標フィードバック寸法値を加入局で受信させて、
前記チャネル品質指標フィードバック寸法値が指し示す、直交周波数分割多重接続システムの１以上のリソースブロックについてチャネル品質を測定させて、
前記チャネル品質の測定値を表すチャネル品質指標を前記基地局に送信させる
物品。
【請求項２４】
実行されると前記システムに、
未割り当てのリソースブロックを特定させて、
前記チャネル品質指標フィードバック寸法値が指し示す、複数の前記未割り当てのリソースブロックについてチャネル品質を測定させる
命令をさらに備える
請求項１６に記載の物品。
【請求項２５】
実行されると前記システムに、
定められたリンク品質値よりもリンク品質値が低い割り当て済みリソースブロックを特定させて、
前記チャネル品質指標フィードバック寸法値が指し示す、複数の前記割り当て済みリソースブロックについてチャネル品質を測定させる
命令をさらに備える
請求項１６に記載の物品。
【発明の詳細な説明】
【背景技術】
【０００１】
直交周波数分割多元接続（ＯＦＤＭＡ）等のマルチキャリアアクセス技術を利用する無線アクセスネットワークでは、一のＯＦＤＭＡフレームの複数のサブチャネルおよびタイムスロットを複数のユーザに割り当てることが可能となる。それぞれのユーザについてサブチャネル品質および達成可能なスループットは、時間と共に変化し得る。チャネル品質指標（ＣＱＩ）は、サブチャネル品質の測定値を示すものである。サブチャネルのユーザへの割り振りは、これに限定されないが、ＣＱＩを含むさまざまな要因に基づいて行うとしてもよい。例えば、ＣＱＩに基づいて、受信機に送信される信号に適用されるべき変調および符号化スキーム（ＭＣＳ）として適切なものを決定するとしてもよい。ここで、ＣＱＩは、データ等のほかの情報を通信するべく利用され得る帯域幅を用いて通信される。このため、利用可能な帯域幅が制限されていることを考慮して、ＣＱＩを効率よく通信することが望まれている。
【図面の簡単な説明】
【０００２】
【図１】ＯＦＤＭＡリソースの一実施形態を示す図である。
【０００３】
【図２】二部グラフの一実施形態を示す図である。
【０００４】
【図３】第１のマッチング率グラフの一実施形態を示す図である。
【０００５】
【図４】第２のマッチング率グラフの一実施形態を示す図である。
【０００６】
【図５】無線通信システムの一実施形態を示す図である。
【０００７】
【図６】第１のロジックフローの一実施形態を示す図である。
【０００８】
【図７】第２のロジックフローの一実施形態を示す図である。
【０００９】
【図８】第３のロジックフローの一実施形態を示す図である。
【発明を実施するための形態】
【００１０】
さまざまな実施形態は１以上の構成要素を含み得る。一の構成要素は、一実施形態に関連付けて説明される任意の特徴、特性、構造、または動作を含み得る。構成要素の例を挙げると、ハードウェア素子、ソフトウェア素子、物理素子、またはこれらの組み合わせがあるとしてもよい。一実施形態を説明する際には、所定の構成を持つ限られた数の構成要素を例示目的で用いるが、当該実施形態は、任意の実施例において望ましい別の構成を持つより多数または少数の構成要素を含むとしてもよい。「一実施形態」または「実施形態」という場合、必ずしも同じ実施形態を指すわけではないことに留意されたい。
【００１１】
さまざまな実施形態は概して、無線通信システムに関するチャネル品質情報フィードバック技術に関連し得る。一部の実施形態は特に、システム負荷およびブロードキャストされた割り振り情報に基づいて、所望のレベルのサブチャネル割り当て確率を達成するために必要なチャネル品質情報フィードバックの量を適応的に決定する適応型スケジューリングアルゴリズムに関連し得る。一部の実施形態は、加入局および基地局の両方からのチャネル品質情報フィードバックの効率を高めるための技術を提供するとしてもよい。一部の実施形態はまた、チャネル品質情報フィードバックの量とサブチャネル割り当て効率との間のトレードオフを数値化する。このように数値化することによって、システムのアップリンクチャネルおよび／またはダウンリンクチャネル上の貴重な無線（ＲＦ）リソースの浪費を避けることによってシステムスペクトル効率を証明するべく、チャネル品質情報フィードバックのオーバーヘッドを低減し得る設計を容易に選択できるようになる。
【００１２】
一部の実施形態によると、マッチング率値に基づいて加入局が測定するＯＦＤＭＡシステム用のリソースブロック数を表すＣＱＩフィードバック寸法値を決定し、ＣＱＩフィードバック寸法値を加入局に送信する方法が提供される。
【００１３】
一部の実施形態によると、基地局からのＣＱＩフィードバック寸法値を加入局で受信し、ＣＱＩフィードバック寸法値が指し示すようにＯＦＤＭＡシステム用の１以上のリソースブロックのチャネル品質を測定し、チャネル品質測定値を表すＣＱＩを基地局に送信する方法が提供される。
【００１４】
さまざまな実施形態は、多くの異なる用途で利用されるとしてもよい。一部の実施形態は、さまざまなデバイスおよびシステムと組み合わせて利用され得る。例えば、送信機、受信機、送受信機、送信機−受信機、無線通信局、無線通信デバイス、無線アクセスポイント（ＡＰ）、モデム、無線モデム、パーソナルコンピュータ（ＰＣ）、デスクトップコンピュータ、携帯可能コンピュータ、ラップトップコンピュータ、ノート型コンピュータ、タブレットコンピュータ、サーバーコンピュータ、ハンドヘルドコンピュータ、ハンドヘルドデバイス、携帯情報端末（ＰＤＡ）デバイス、ハンドヘルドＰＤＡデバイス、ネットワーク、無線ネットワーク、ローカルエリアネットワーク（ＬＡＮ）、無線ＬＡＮ（ＷＬＡＮ）、メトロポリタンエリアネットワーク（ＭＡＮ）、無線ＭＡＮ（ＷＭＡＮ）、ワイドエリアネットワーク（ＷＡＮ）、無線ＷＡＮ（ＷＷＡＮ）、既存のＩＥＥＥ８０２．１１、８０２．１ａ、８０２．１１ｂ、８０２．１１ｅ、８０２．１１ｇ、８０２．１１ｈ、８０２．１１ｉ、８０２．１１ｎ、８０２．１６、８０２．１６ｄ、８０２．１６ｅおよび８０２．１６ｍ規格、ならびに／または、上記の規格の今後開発されるバージョン、ならびに／または、派生規格、ならびに／または、ロングタームエボリューション（ＬＴＥ）に準拠して動作するデバイスおよび／またはネットワーク、パーソナルエリアネットワーク（ＰＡＮ）、無線ＰＡＮ（ＷＰＡＮ）、上述したＷＬＡＮおよび／またはＰＡＮおよび／またはＷＰＡＮネットワークの一部を成すユニットおよび／またはデバイス、一方向および／または双方向の無線通信システム、セルラー方式無線電話通信システム、携帯電話、無線電話、パーソナルコミュニケーションシステム（ＰＣＳ）デバイス、無線通信デバイスが組み込まれているＰＤＡデバイス、多入力多出力（ＭＩＭＯ）送受信機またはデバイス、一入力多出力（ＳＩＭＯ）送受信機またはデバイス、多入力一出力（ＭＩＳＯ）送受信機またはデバイス、マルチレシーバチェーン（ＭＲＣ）送受信機またはデバイス、「スマートアンテナ」技術またはマルチアンテナ技術を利用する送受信機またはデバイス等と組み合わせるとしてよい。一部の実施形態は、一以上の種類の無線通信信号および／またはシステムと組み合わせて利用されるとしてもよい。例えば、無線（ＲＦ）、赤外線（ＩＲ）、周波数分割多重（ＦＤＭ）、直交ＦＤＭ（ＯＦＤＭ）、直交周波数分割多元接続（ＯＦＤＭＡ）、時分割多重（ＴＤＭ）、時分割多元接続（ＴＤＭＡ）、拡張ＴＤＭＡ（Ｅ−ＴＤＭＡ）、ジェネラルパケットラジオサービス（ＧＰＲＳ）、拡張ＧＰＲＳ、符号分割多重接続（ＣＤＭＡ）、広帯域ＣＤＭＡ（ＷＣＤＭＡ）、ＣＤＭＡ２０００、マルチキャリア変調（ＭＤＭ）、ディスクリートマルチトーン（ＤＭＴ）、Ｂｌｕｅｔｏｏｔｈ（登録商標）、ＺｉｇＢｅｅ（登録商標）等の技術と組み合わせるとしてよい。一部の実施形態は、これら以外のさまざまな装置、デバイス、システム、および／またはネットワークにおいて利用されるとしてもよい。
【００１５】
さまざまな実施形態によると、これらに限定されるわけではないが、８０２．１６ｅ、８０２．１６ｍ、または第３世代パートナーシッププロジェクト（３ＧＰＰ）ＬＴＥ等のブロードバンド無線システムにおける基地局またはＯＦＤＭＡスケジューラは、サブキャリア群およびシンボルまたはシンボル群を含むリソースブロックを割り振るとしてもよい。サブキャリア群は、周波数を単位とし、サブチャネル（８０２．１６ｅ）またはチャンク（ＬＴＥ）と呼ばれ、シンボルまたはシンボル群は、時間を単位とし、スロット（８０２．１６ｅ）またはサブフレーム（ＬＴＥ）と呼ばれる。スケジューリング可能なＯＦＤＭＡリソースは、２次元で、例えば、時間領域におけるＯＦＤＭシンボルおよび周波数領域におけるサブキャリアを含む。加入局の受信機は、送信されたリソースブロックのチャネル品質を測定して、基地局にＣＱＩを提供することによって、ＯＦＤＭＡスケジューラが時間および周波数の両方の領域におけるチャネルの変化を利用できるようにするとしてもよい。ＣＱＩは、任意の実施例で所望されるように、単一のリソースブロックを表すとしてもよいし、または、複数のリソースブロックを表すとしてもよい。後者の場合には、例えば、コードブック技術を用いて、単一のＣＱＩ値で複数のリソースブロックを表すとしてもよい。実施形態はこれに限定されない。
【００１６】
さまざまな実施形態によると、基地局で実装されるチャネル意識（ｃｈａｎｎｅｌ  ａｗａｒｅ）ＯＦＤＭＡスケジューラを利用することによって、ブロードバンドセルラー方式無線システムにおけるシステムの容量およびスペクトル効率を大きく改善することができる。このようなスケジューラは、競合する加入局が提供するチャネル品質またはＣＱＩの推定値に大きく依存している。ＣＱＩに関連して発生するオーバーヘッドは、アップリンクデータスケジューリング用の利用可能リソースに影響を与え、この結果、フィードバックされ得るＣＱＩの量が制限される。このため、ＣＱＩのフィードバックは、ブロードバンドセルラー方式無線システム用の無線インターフェースの設計において重要な特徴となる。実施形態では、システム全体の性能を改善するべく、加入局が提供するＣＱＩフィードバックの量および種類を制御する技術を用いて、上述およびその他の課題を解決しようと試みている。
【００１７】
図１は、ＯＦＤＭＡリソース１００の一例を示す図である。図１に示すように、ＯＦＤＭＡリソース１００は、割り振り済みシステム帯域幅を含むとしてもよい。帯域幅は、ｙ軸上では周波数に従って複数のサブキャリア、サブチャネル、またはチャンク１−Ｎに分割され、そのサブ群は１−ｊと表され、ｘ軸上ではタイムスロットまたはサブフレーム１−ｉに分割されている。任意のタイムスロットにおいて、各加入局の１以上のＣＱＩ値がＮ個のサブチャネルまたはチャンクについてフィードバックされ得る。リソースブロックは、１以上のスロット／サブチャネル（自己定義）ｑ（ｉ，ｊ）として表されるとしてもよい。ＯＦＤＭＡシステムについて選択されるＣＱＩフィードバック粒度のレベルに応じて、ＣＱＩは１以上のリソースブロックについてチャネル測定情報を表すとしてもよい。本明細書において「ＣＱＩフィードバック情報の粒度情報」という場合、１以上のＣＱＩ値を生成する場合に加入局が測定するサブチャネル、サブキャリア、チャンク、またはその他のリソースブロックの数を指すとしてもよい。
【００１８】
理論上は、ＣＱＩ値は、競合する加入局に対してサブチャネルまたはチャンクを最適にスケジューリングするために必要な情報を全て基地局のスケジューラに提供すべきである。しかし、実際のシステムでは、ＣＱＩ値は通常、フィードバック帯域幅が制限されているために、Ｎ個の利用可能なサブチャネルから成るサブ群についてのみフィードバックされる。利用可能なサブチャネルの数はシステムの帯域幅に従って増減するので、ＣＱＩ値がフィードバックされ得るサブチャネルの数も実際には制限される。
【００１９】
ＣＱＩフィードバックの量と、所望のレベルのＣＱＩフィードバック粒度におけるＣＱＩの利用可能性によって決まるスケジューリングゲインとの間には相関またはトレードオフがある。ＯＦＤＭＡリソース１００を複数の競合加入局に対して割り振る際にＯＦＤＭＡスケジューラに十分な柔軟性を与えるためにはどれだけのＣＱＩフィードバック粒度が必要かを決定しようとする場合に、設計に関する課題が生じる。移動度が低い場合、チャネル認識ＯＦＤＭＡスケジューラは、周波数選択性を利用することによって十分なゲインを実現し得る。周波数選択ＣＱＩ情報の粒度によって、利用可能なリソースをチャネル条件が最高の競合する加入局にスケジューラがマッチングさせる際の柔軟性が決まる。
【００２０】
ＣＱＩフィードバック粒度は、ＯＦＤＭＡシステムに対していくつかの点において影響を及ぼし得る。例えば、ＣＱＩフィードバックの粒度によって、当該情報を通知するために必要なオーバーヘッドの量が決まる。通常は、ＣＱＩフィードバック情報が消費するオーバーヘッドの量は、ＯＦＤＭＡシステムにおいて競合する加入局の数が増えるに従って大きくなる。別の例を挙げると、ＣＱＩフィードバックの粒度によって、ＣＱＩフィードバックのオーバーヘッドを計上した後にデータをスケジューリングするために残っているＯＦＤＭＡリソース１００の量が決まる。さらに別の例によると、ＣＱＩフィードバックの粒度によって、競合している加入局に対してリソースブロックをスケジューリングする際およびサービス品質（ＱｏＳ）を保証する際の複雑度が決まる。
【００２１】
さまざまな実施形態によると、ＯＦＤＭＡスケジューラは、加入局から基地局へと送られるＣＱＩフィードバックの効率を改善するべく、適応型スケジューリングアルゴリズムを用いるとしてもよい。一部の実施形態によると、ＣＱＩフィードバックの量は、無線システムにおける負荷に応じて、動的に調整される。一部の実施形態によると、ＣＱＩフィードバックについて選択されたサブチャネル群は、加入局自身のチャネル品質と共に、ダウンリンクにおいてブロードキャストされているその他の割り振り済みサブチャネルのチャネル品質の観察結果に基づいて選択される。
【００２２】
サブチャネル割り当ての効率は、ＣＱＩフィードバック粒度の関数として数値化され得る。シミュレーション結果から、ＣＱＩフィードバック粒度が大きくなると、サブチャネル割り当て効率におけるゲインが小さくなることが分かっている。このため、一部の実施形態では、加入局１つにつき２個から３個程度のサブチャネルというように、比較的小規模のサブチャネルサブ群にＣＱＩを用いて、できる限り高い周波数選択性スケジューリングゲインを達成するとしてもよい。また、フィードバックの量は通常、システムにおけるサブチャネルの数とは無関係である。これは、ＣＱＩフィードバックのオーバーヘッドはＯＦＤＭＡシステムのサブチャネルの数に応じて大きくなるという前提の従来技術とは逆である。
【００２３】
図２は、二部グラフ２００の一実施形態を示す図である。二部グラフ２００は、ＯＦＤＭＡシステムのマッチング効率の一例を示す図である。図２の左半分は、競合する加入局１−４の一群およびＯＦＤＭＡリソースブロックＡ−Ｄの一群を示す。加入局１および３はリソースブロックＡについてのＣＱＩフィードバックを提供している一方、加入局２および４はリソースブロックＣについてのＣＱＩフィードバックを提供している。加入局１−４はいずれも、リソースブロックＢおよびＤについてのＣＱＩフィードバックを提供していない。この例では、二部グラフ２００は、各加入局が、対応するフィードバックサブ群内のサブチャネルにのみ接続されているものとしている。各接続の重みは、ＣＱＩ値によって決まる。ＯＦＤＭＡスケジューリングアルゴリズムは、この重みと所望のスケジューリングメトリックとを用いて、サブチャネルを競合する加入局に対して割り当てる。しかし、二部グラフ２００は部分的にのみ接続されているので、各サブチャネルが割り振られ得る加入局は１つのみなので、スケジューリングアルゴリズムの出力は、図２の右側に示されているものになる。この場合、ＯＦＤＭＡスケジューリングアルゴリズムは、リソースブロックＡを加入局１に割り振り、リソースブロックＣを加入局４に割り振る。リソースブロックＢおよびＤについてはフィードバックがなかったので、ＯＦＤＭＡスケジューリングアルゴリズムは、ＣＱＩフィードバック群が限定されていることが一因となって、加入局２および３については完全なマッチングを実現することができなかった。
【００２４】
ＣＱＩフィードバックとＯＦＤＭＡスケジューラのマッチング結果との間の関係をさらに調べるべく、一連の定義を用いるとしてもよい。各加入局のフィードバック群は、ＣＱＩフィードバックが提供されるサブチャネル群を含むとしてもよい。各加入局のマッチング群は、ＯＦＤＭＡスケジューラによって割り振られるサブチャネル群を含むとしてもよい。競合する加入局と割り振られたサブチャネルとの間の接続度またはマッチング度は、フィードバック群のサイズによって決まる。マッチングサイズＤは、ＯＦＤＭＡスケジューラによって競合する加入局に割り当てられるサブチャネルの数である。マッチング率ｐは、ｐ＝Ｄ／ｍｉｎ（Ｍ，Ｎ）として定義されるとしてよく、Ｍ＝Ｎの場合に最も低くなる。
【００２５】
接続度と最大マッチングサイズとの間の関係を決定することを目的の１つとする。加入局が基地局と事前調整することなく最良のサブチャネルについてＣＱＩフィードバックを提供する場合を考える。このような特殊なケースでは、接続度は、各加入局が１つ（最良）のサブチャネルを報告するという、「１」となる。競合する加入局の数がＭ個でサブチャネルの数がＮ個のシステムでは、考えられているマッチングサイズによって全加入局にサブチャネルが割り当てられ得る可能性があるか否かが決まることを設計の際に考慮する。
【００２６】
マッチングサイズおよびマッチングサイズとＣＱＩフィードバックとの関係は、Ｄ個のサブチャネルがＭ個の加入局のうち少なくとも１つに接続されており、各加入局が１つのサブチャネルＮにのみ接続されている場合、マッチングサイズはＤとなるという、補題または補助命題にしたがって定義され得る。Ｍ個の加入局のそれぞれがＮ個のサブチャネルのうち１つについてのみＣＱＩフィードバック情報を提供する場合にマッチングサイズがＤである確率は、以下の式（１）によって定義され得る。
【数１】
2010514372.tif 000003
【００２７】
式（１）が示すような定義に従って、マッチングサイズが１となる確率は、以下の式（２）によって表され得る。
【数２】
2010514372.tif 000004
【００２８】
マッチングサイズＤの確率について反復式を得るべく、Ｍ番目のユーザがフィードバック群から除外される場合を考える。Ｍ番目のユーザがマッチング群の一部でない場合、Ｍ番目のユーザが除外されているにもかかわらず、マッチングの数はＤとなる。他方、Ｍ番目のユーザがマッチング群の一部である場合、式（３）に示すように、マッチングの数はＤ−１となる。
【数３】
2010514372.tif 000005
各ユーザについてＣＱＩがフィードバックされるサブチャネルの数Ｋが１よりも大きい場合、マッチングサイズＤについて閉形式解はない。しかし、変数Ｄは任意のフィードバックパターンについて二部マッチング問題を解くことによって算出され得る。このことに関しては、図３および図４を参照しつつさらに説明する。
【００２９】
全加入局が１つのサブチャネルに対応するＣＱＩをフィードバックする場合、加入局にチャネルが割り当てられない確率は、以下の式（４）で近似され得る。
【数４】
2010514372.tif 000006
ここで、Ｎは比較的大きい値となる。ＣＱＩフィードバック情報が提供されるサブチャネルの数が無限大に大きくなり、システム帯域幅が無限大に大きくなると
【数５】
2010514372.tif 000007
となり、この確率は
【数６】
2010514372.tif 000008
に近くなる。この結果、
【数７】
2010514372.tif 000009
の場合、要求したサブチャネルを割り当てられる加入局の数の平均値は以下の式（５）で表され得る。
【数８】
2010514372.tif 000010
この結果、
【数９】
2010514372.tif 000011
の場合、
【数１０】
2010514372.tif 000012
となる。つまり、各加入局が対応する最良のチャネルのＣＱＩのみをフィードバックする場合、加入局の約６３％が対応するフィードバック群のサブチャネルに割り当てられ得ることになる。従って、一部の設計においては、上記のレベルにおいて、ＣＱＩフィードバック情報の量を低減しても許容可能なレベルでサブチャネル割り当てが実行されているとしてもよい。
【００３０】
図３は、マッチング率グラフ３００の一実施形態を示す図である。マッチング率グラフ３００は、ｙ軸において０から１の間でマッチング率を示し、ｘ軸において０から３５の間において加入局（ユーザ）の数を示す。マッチング率グラフ３００は、Ｍ個の加入局がそれぞれ、合計Ｎ個のサブチャネルのうちランダムに選んだＫ個のサブチャネルについてＣＱＩをフィードバックする場合のマッチング率を示す。一般的には、マッチング率は、Ｍが大きくなると、小さくなる傾向がある。Ｍ＝Ｎの場合にマッチング率は最も低くなる。Ｋ＝１の場合、最悪の場合のマッチング率は約６３％である。Ｋ＝２の場合、最悪の場合のマッチング率は８５％に改善する。Ｋ＝３の場合、最悪の場合のマッチング率はさらに改善して９５％となる。この情報に基づけば、各加入局が２つまたは３つの良好なサブチャネルについてフィードバックすれば適度に良好なマッチング率が達成されるものと思われる。
【００３１】
図４は、マッチング率グラフ４００の一実施形態を示す図である。マッチング率グラフ４００は、ｙ軸において０から１の間でマッチング率を示し、ｘ軸において０から６４の間においてサブチャネルの数を示す。マッチング率グラフ４００は、サブチャネルＮの数の関数としてマッチング率を示している。Ｍ＝Ｎにおける最悪の場合のマッチング率を示す。図４に示すように、サブチャネルの数がＮ＜１０のように比較的小さい場合、最悪の場合のマッチング率は、Ｎの値がより大きい場合に比べて良好である。マッチング率グラフ４００によれば、任意のフィードバック寸法Ｋについて最悪の場合のマッチング率が速やかに定数に収束することが明らかである。このような飽和点は、サブチャネルの数がかなり小さい場合に発生する。このことから、最悪の場合のマッチング率の所望のレベルについてサブチャネルの数を増加させると利点が小さくなることが分かる。フィードバック寸法が「３」と比較的小さい場合、最悪の場合のマッチング率は約９５％以上となる。図示されているように、ＣＱＩフィードバック寸法が大きくなるほど、最悪の場合のマッチング率がより良好になっている。
【００３２】
上述の分析に基づいて、ＣＱＩフィードバック粒度を基地局の現在のシステム負荷に適応させる。基地局は、競合する加入局の数、ＣＱＩがフィードバックされているサブチャネルの数、および任意の時点でのマッチング率を常に把握しているので、競合する加入局に対してＣＱＩフィードバック寸法値Ｋをブロードキャストすることができる。ここで、Ｋは、所望のマッチング率を達成するために基地局がＣＱＩフィードバックを必要とするサブチャネルの数を表す。競合する加入局の数がより小さく、システム負荷がより小さくなると、所望のしきい値よりもＣＱＩフィードバックオーバーヘッドを大きくすることなくスペクトル効率を改善するべく、ＣＱＩフィードバック寸法値Ｋは、フィードバックされ得るサブチャネルの数がより大きくなるように設定される。一方、システム負荷がより大きくなると、データをスケジューリングして且つフィードバックオーバーヘッドを小さくすることを目的として、ＯＦＤＭＡリソース１００の利用可能なリソースブロックを増やすべく、ＣＱＩフィードバック寸法値Ｋは小さく設定され得る。
【００３３】
図５は、無線通信システム５００の一実施形態を示す図である。無線通信システム５００は、本明細書で説明する適応型スケジューリング技術を実装するのに適している無線通信システムの一例である。図５に示すように、無線通信システム５００は、基地局５２０および加入局５５０を備える。説明の便宜上、基地局５２０および加入局５５０はそれぞれ１つのみを図示しているが、無線通信システム５００は、任意の実装において所望されるように、基地局５２０と同様の基地局を複数備え、加入局５５０と同様の加入局を複数備えるとしてもよいものと解釈されたい。無線通信システム５００は、これらに限定されないがＯＦＤＭまたはＯＦＤＭＡ等のマルチキャリアアクセス技術を用いる無線アクセスネットワークとして実装されるとしてよいが、これは例示を目的として挙げるに過ぎず、これに限定されるものではない。実施形態はこれに限定されない。
【００３４】
一実施形態によると、例えば、無線通信システム５００は、ＯＦＤＭＡシステムを備えるとしてよい。ここで、基地局５２０は、無線通信システム５００の現在の負荷に少なくとも基づいて、加入局５５０からのＣＱＩフィードバックの粒度を動的に変更し得る。基地局５２０は、このような変更を、ＣＱＩ粒度信号５６２を介して加入局５５０に通信してよい。
【００３５】
一実施形態によると、例えば、基地局５２０は、システム構成ロジック５０２を有するとしてよい。システム構成ロジック５０２は、加入局５５０がＣＱＩを測定すべき１以上のサブチャネル（Ｋ）を含む初期設定サブチャネル群またはデフォルトサブチャネル群を指定するべく設けられるとしてよい。実施形態はこれに限定されない。
【００３６】
一実施形態によると、例えば、基地局５２０は、ＱｏＳ要求およびサービスフローマッピングロジック５０５を有するとしてよい。ＱｏＳ要求およびサービスフローマッピングロジック５０４は、ネットワークにおける加入者についてのサービスフローおよびサービス品質に関する情報を保持するべく設けられるとしてよい。実施形態はこれに限定されない。
【００３７】
一実施形態によると、例えば、基地局５２０は要求されたリソースを管理してキュー状態を保持するロジック５０６を有するとしてよい。要求リソースおよびキュー状態ロジック５０６は、加入局５５０といった加入局に割り振られているダウンリンク帯域幅およびアップリンク帯域幅を管理するべく設けられるとしてよい。実施形態はこれに限定されない。
【００３８】
一実施形態によると、例えば、基地局５２０は、ＣＱＩ管理ロジック５１０を有するとしてよい。ＣＱＩ管理ロジック５１０は、ＣＱＩフィードバックを提供用に割り振られた帯域幅に部分的に基づいて、１以上のサブチャネルに関するＣＱＩフィードバックを１以上の加入局に要求するべく加入局に送信されるべきメッセージを生成することを目的として設けられるとしてよい。実施形態はこれに限定されない。
【００３９】
一実施形態によると、例えば、基地局５２０は、基地局スケジューラおよびフレームアセンブラロジック５１２を有するとしてよい。基地局スケジューラおよびフレームアセンブラロジック５１２は、加入者の要望に基づいて帯域幅を割り振るとしてよい。基地局スケジューラおよびフレームアセンブラロジック５１２は、一意的な加入局それぞれについて、サブフレーム内の領域を割り振るとしてよい。基地局スケジューラおよびフレームアセンブラロジック５１２は、加入局５５０に割り振られたサブフレーム内の領域の位置を示してよい。基地局スケジューラおよびフレームアセンブラロジック５１２は、加入局５５０から基地局５２０のアップリンク通信およびその逆について利用可能な帯域幅を設定してよい。例えば、アップリンクにおけるデータの帯域幅を大きくする場合、基地局スケジューラおよびフレームアセンブラロジック５１２は、ＣＱＩ通信に割り振られている帯域幅を小さくしてよい。例えば、ＣＱＩ通信に割り振られている帯域幅を小さくする場合、基地局スケジューラおよびフレームアセンブラロジック５１２は、ＣＱＩフィードバックの粒度を小さくしてよい。基地局スケジューラおよびフレームアセンブラロジック５１２は、加入局５５０に送信されるフレームを提供してよい。
【００４０】
さまざまな実施形態によると、基地局５００は加入局５５０に対して、これらに限定されないがＣＱＩ粒度信号５６２およびリソース割り振り信号５６４等の、さまざまな信号を送信してよい。ＣＱＩ粒度信号５６２は、加入局５５０がＣＱＩ測定を行うサブチャネル（Ｋ）の数を指定してよい。リソース割り振り信号５６４は、加入局５５０に対して、受信したフレームのどこにデータが位置しているかを指定してよい。
【００４１】
一実施形態によると、例えば、加入局５５０は、スケジューラおよび許可管理ロジック５５２を有してよい。スケジューラおよび許可管理ロジック５５２は、例えば、基地局５２０からのダウンリンク送信を監視して、未割り当てリソースブロックを特定したり、または、定められたリンク品質しきい値未満のリンク品質の割り当て済みリソースブロックを特定したりと、さまざまな処理を実行してよい。
【００４２】
一実施形態によると、例えば、加入局５５０は、ＣＱＩ測定ロジック５５４を有してよい。ＣＱＩ粒度信号５６２に基づいて、ＣＱＩ測定ロジック５５４は、チャネル測定処理を実行して、少なくともＣＱＩ粒度信号５６２が特定するサブチャネル数についてＣＱＩを測定してよい。ＣＱＩ測定ロジック５５４は、任意の数の技術を用いてチャネル品質指標を測定するべく設けられるとしてよい。チャネル品質指標の測定は、これらに限定されないが、信号対干渉雑音比（ＳＩＮＲ）測定処理、変調および符号化方式（ＭＣＳ）選択、および瞬時レートフィードバックなどであってよい。
【００４３】
必要なチャネル測定値が得られると、加入局５５０は、ＣＱＩ報告信号５６６を送信することによって、ＣＱＩを基地局５２０に対して指示してよい。ＣＱＩの報告は、これらに限定されないが、ＳＩＮＲ測定、変調および符号化方式（ＭＳＣ）選択、および瞬時レートフィードバック等のさまざまな利用可能な規格に準拠して行われるとしてよい。
【００４４】
さらに、装置５００の動作を１以上のロジックフローを参照しつつ説明する。代表的なロジックフローは、そう明示していない限り、必ずしも提示している順序または任意の特定の順序で実行する必要はないと理解されたい。また、ロジックフローに関して説明するさまざまな動作は、逐次または並行して実行され得る。ロジックフローは、任意の所望のハードウェア素子、ソフトウェア素子、または両方の組み合わせを用いて実装され得る。
【００４５】
図６は、ロジックフロー６００を示す図である。ロジックフロー６００は、本明細書に説明する１以上の実施形態、例えば基地局５２０等によって実行される動作を示すとしてよい。図６に示すように、ブロック６０２において、ロジックフロー６００は、マッチング率値に基づいて加入局が測定するＯＦＤＭＡシステムのリソースブロックの数を表すＣＱＩフィードバック寸法値を決定してよい。ブロック６０４において、ロジックフロー６００は、加入局にＣＱＩフィードバック寸法値を送信してよい。実施形態はこれに限定されない。
【００４６】
一実施形態によると、例えば、基地局スケジューラおよびフレームアセンブラロジック５１２は、マッチング率値に基づいて加入局が測定するＯＦＤＭＡシステムのリソースブロックの数を表すＣＱＩフィードバック寸法値を決定してよい。マッチング率値は、リソースブロックに割り振られている加入局の数と、無線通信システム５００にサービスを要求している加入局の数または無線通信システム５００に割り振られているリソースブロックの数との比率を表す値であってよい。一般的に、基地局スケジューラおよびフレームアセンブラロジック５１２は、マッチング率値を大きくするべくＣＱＩフィードバック寸法値を大きくして、マッチング率値を小さくするべくＣＱＩフィードバック寸法値を小さくしてよい。
【００４７】
一実施形態によると、例えば、基地局スケジューラおよびフレームアセンブラロジック５１２は、無線通信システム５００に対してサービスを要求している加入局の数を表す加入局値、無線通信システム５００に割り振られているリソースブロックの数を表すマッチング群値、および／または、加入局に割り当てられているリソースブロックの数を表すマッチングサイズ値に基づいてマッチング率値を決定してよい。場合によっては、マッチング率値は、加入局値が大きくなるにつれて、小さくなるとしてよい。
【００４８】
一実施形態によると、例えば、基地局スケジューラおよびフレームアセンブラロジック５１２は、加入局５５０に対してＣＱＩフィードバック寸法値を送信してよい。基地局スケジューラおよびフレームアセンブラロジック５１２は、ＣＱＩフィードバック寸法値が指定するリソースブロックのチャネル品質測定値を表すＣＱＩを、加入局５５０から受信してよい。
【００４９】
一部の実施形態は、上述した適応型技術を実装することによって基地局におけるＯＦＤＭＡスケジューラの動作を改善することに加えて、さらに加入局５５０で生成されて基地局５２０に与えられるチャネルフィードバックの効率を改善するべく加入局の動作を改良し得る。例えば、Ｍ個の競合する加入局が、対応するＫ個の最も良好なサブチャネルのＣＱＩを基地局にフィードバックする場合を考える。図２を参照しつつ説明したように、複数の加入局のフィードバック群は重複している場合がある。スケジューリングアルゴリズムによっては、この後の割り振りでは、Ｋ個のサブチャネル全てが要求されたように加入局に割り振られない場合がある。
【００５０】
基地局は通常、ダウンリンクチャネルでサブチャネル割り当てをブロードキャストする。各加入局は、ＣＱＩフィードバック応答を生成する際に有用な情報を推測し得る。例えば、各加入局は、サブチャネルが（１）監視用加入局に割り当てられているか、（２）その他の加入局に割り当てられているか、または（３）未割り当てか否かを推測し得る。別の例によると、各加入局は、ほかの加入局に割り当てられているサブチャネルのリンク品質を大まかに推定し得る。これを実現する方法の１つとしては、サブチャネル割り当てに対応付けられる符号化／変調フォーマット（ＭＣＳ）を用いる方法がある。１つの加入局に割り当てられているサブチャネルの数が当該加入局が要求した数よりも少ない場合、残りの未割り当てのサブチャネルに対応するＣＱＩフィードバック、または、リンク品質がより低いほかの加入局に割り当てられているサブチャネルに対応するＣＱＩフィードバックを送信することによって、次の割り当てではサブチャネル割り振りの機会を高めることができる。加入局は、前に割り振られたサブチャネルにおけるチャネル品質が変わらないままであれば、割り当てられたチャネルのＣＱＩのフィードバックを継続して行う。上記の技術を、図７を参照しつつ、より詳細に説明する。
【００５１】
図７は、ロジックフロー７００の一実施形態を示す図である。ロジックフロー７００は、本明細書に説明する１以上の実施形態、例えば加入局５５０等によって実行される動作を示すとしてよい。図７に示すように、ロジックフロー７００は、ブロック７０２において、基地局からのＣＱＩフィードバック寸法値を加入局で受信してよい。ロジックフロー７００は、ブロック７０４において、ＣＱＩフィードバック寸法値の指定に応じて、ＯＦＤＭＡシステムの１以上のリソースブロックについてチャネル品質を測定するとしてよい。ロジックフロー７００は、ブロック７０６において、チャネル品質測定値を表すＣＱＩを基地局に送信してよい。実施形態はこれに限定されない。
【００５２】
一実施形態によると、例えば、ＣＱＩ測定ロジック５５４は、ＣＱＩ粒度信号５６２を介してＣＱＩフィードバック寸法値が指定するように、無線通信システム５００のリソースブロックを複数含むフィードバック群についてチャネル品質を測定してよい。フィードバック群は、ＣＱＩフィードバック寸法値が指定する、未割り当てのリソースブロックを複数含むとしてよい。これに代えて、フィードバック群は、ＣＱＩフィードバック寸法値が指定する、リンク品質値がより低いほかの加入局に割り当てられている割り当て済みリソースブロックを複数含むとしてよい。
【００５３】
一実施形態によると、例えば、スケジューラおよび許可管理ロジック５５２は、基地局５２０からのダウンリンク送信を監視することによって、未割り当てのリソースブロックを監視および特定してよい。ＣＱＩ測定ロジック５５４は、ＣＱＩフィードバック寸法値が指定する、複数の未割り当てのリソースブロックについてチャネル品質を測定してよい。このようにして、加入局５５０は、次のサイクルで基地局５２０が未割り当てのリソースブロックのうち１以上を加入局５５０に割り振る確率を高めてもよい。
【００５４】
一実施形態によると、例えば、スケジューラおよび許可管理ロジック５５２は、定められたリンク品質値よりもリンク品質値が低い割り当て済みリソースブロックを特定してよい。ＣＱＩ測定ロジック５５４は、ＣＱＩフィードバック寸法値が指定する、複数の割り当て済みリソースブロックについてチャネル品質を測定してよい。このようにして、加入局５５０は、基地局５２０が次のサイクルで、加入局から送信される割り当て済みリソースブロックのうちリンク品質がより低い１以上の割り当て済みリソースブロックを、リンク品質がより高い加入局５５０に割り振り直す確率を高めるとしてよい。
【００５５】
図８は、ロジックフロー８００の一実施形態を示す図である。ロジックフロー８００は、加入局５５０が実行する適応型技術の実装例を示すものであってよい。図８に示すように、ブロック８０２において、加入局５５０は、Ｋ個の最良サブチャネルを選択して、基地局５２０にＣＱＩを送信してよい。基地局５２０は、ブロック８０４において、次フレームでＣＱＩ情報および適応型スケジューリングアルゴリズムに基づいてサブチャネルの割り振りをブロードキャストする。３つの別個の実行経路は、順次行われてもよいし、並行して行われてもよい。
【００５６】
第１の実行経路では、加入局５５０が、ブロック８０６において、要求されて割り当てられたサブチャネル群Ｋ（ａ）を特定する。加入局５５０は、ブロック８０８において、ＣＱＩ劣化幅がしきい値を超えているサブチャネル群Ｋ（ｃ）、および、ＣＱＩ劣化幅が大きくないＫ（ａ）−Ｋ（ｃ）を特定する。加入局５５０は、ブロック８１０において、サブチャネルＫ（ａ）−Ｋ（ｃ）のＣＱＩの送信を継続して行う。ひし形８１２において、Ｋ（ａ）−Ｋ（ｃ）＝Ｋであるか否かを決定する。ブロック８１２でＹＥＳの場合、ロジックフロー８００はブロック８０４に進む。
【００５７】
しかし、ブロック８１２においてＮＯの場合、ブロック８１６において、Ｋ（ｕ）＜Ｋ−［Ｋ（ａ）−Ｋ（ｃ）］であるか否かを決定する。ブロック８１６においてＮＯであれば、ブロック８２０において、加入局５５０は、サブチャネルＫ−［Ｋ（ａ）−Ｋ（ｃ）］についてのＣＱＩを未割り当てのサブチャネルにおいて送信し、ロジックフロー８００はブロック８０４に進む。
【００５８】
ブロック８１２においてＹＥＳの場合、ブロック８２２において、加入局５５０はＫ（ｕ）についてのＣＱＩを未割り当てのサブチャネルで送信する。ブロック８３０において、加入局５５０は、サブチャネルＫ（ｗ）を介してサブチャネルＫ−［Ｋ（ａ）−Ｋ（ｃ）］―Ｋ（ｕ）についてのＣＱＩを送信し、ロジックフロー８００はブロック８０４に戻る。
【００５９】
第２の実行経路において、加入局５５０は、ブロック８１４で、どの加入局にも割り当てられていないサブチャネル群Ｋ（ｕ）を特定する。ロジックフロー８００は、続いてひし形８１６に進み、その後は上述したように進行する。
【００６０】
第３の実行経路において、加入局５５０は、ブロック８２４において、ほかの加入局に割り振られているサブチャネル群Ｋ（ｏ）を特定する。加入局は、ブロック８２６において、より弱い加入局に割り当てられているサブチャネル群Ｋ（ｗ）および、より強い加入局に割り当てられているサブチャネル群Ｋ（ｂ）＝Ｋ（ｏ）−Ｋ（ｗ）を特定する。この場合、加入局５５０は、ブロック８２８において、衝突の可能性を低減するべく、Ｋ（ｂ）のサブチャネルでＣＱＩを送信しない。ロジックフロー８００は、ブロック８３０に進み、その後は上述したように進行する。
【００６１】
装置１００のような一部の実施形態は、電子デバイスの一部、構成要素、またはサブシステムとして実装され得る。電子デバイスの例を挙げると、これらに限定されないが、処理システム、コンピュータ、サーバ、ワークステーション、電化製品、端末、パーソナルコンピュータ、ラップトップ、スーパーラップトップ、ハンドヘルドコンピュータ、携帯情報端末（ＰＤＡ）、テレビ、デジタルテレビ、セットトップボックス、電話、携帯電話、セルラー方式電話、送受信器、無線アクセスポイント、基地局、加入局、可動式加入者センター、ラジオネットワークコントローラ、ルータ、ハブ、ゲートウェイ、ブリッジ、スイッチ、機械、またはこれらの組み合わせを含むとしてよい。実施形態はこれに限定されない。
【００６２】
一実施形態によると、例えば、処理システムは１以上のプロセッサを備えてよい。プロセッサは、情報またはデータを処理すべく設けられている任意のハードウェア素子またはソフトウェア素子を有するとしてよい。プロセッサの例を挙げると、これに限定されないが、複数命令セットコンピュータ（ＣＩＳＣ）マイクロプロセッサ、縮小命令セットコンピュータ（ＲＩＳＣ）マイクロプロセッサ、超長命令語（ＶＬＩＷ）マイクロプロセッサ、命令セットの組み合わせを実装するプロセッサ、または、その他のプロセッサデバイスを含むとしてよい。一実施形態によると、例えば、プロセッサは、汎用プロセッサとして実装され得る。これに代えて、プロセッサは、コントローラ、マイクロコントローラ、埋め込みプロセッサ、デジタルシグナルプロセッサ（ＤＳＰ）、ネットワークプロセッサ、メディアプロセッサ、入出力（Ｉ／Ｏ）プロセッサ、メディアアクセス制御（ＭＡＣ）プロセッサ、無線ベースバンドプロセッサ、フィールドプログラマブルゲートアレイ（ＦＰＧＡ）、プログラマブルロジックデバイス（ＰＬＤ）、特定用途向け集積回路（ＡＳＩＣ）のような専用プロセッサ、として実装されるとしてもよい。実施形態はこれに限定されない。
【００６３】
一実施形態によると、例えば、処理デバイスは、プロセッサに結合される１以上のメモリユニットを有するとしてもよい。メモリユニットは、情報またはデータを格納するべく設けられる任意のハードウェア素子であってよい。メモリユニットの例を挙げると、これらに限定されないが、ランダムアクセスメモリ（ＲＡＭ）、ダイナミックＲＡＭ（ＤＲＡＭ）、ダブルデータレートＤＲＡＭ（ＤＤＲＡＭ）、シンクロナスＤＲＡＭ（ＳＤＲＡＭ）、スタティックＲＡＭ（ＳＲＡＭ）、リードオンリーメモリ（ＲＯＭ）、プログラマブルＲＯＭ（ＰＲＯＭ）、消去可能プログラマブルＲＯＭ（ＥＰＲＯＭ）、ＥＥＰＲＯＭ（登録商標）、コンパクトディスクＲＯＭ（ＣＤ−ＲＯＭ）、コンパクトディスクリコーダブル（ＣＤ−Ｒ）、コンパクトディスクリライタブル（ＣＤ−ＲＷ）、フラッシュメモリ（例えば、ＮＯＲまたはＮＡＮＤフラッシュメモリ）、連想メモリ（ＣＡＭ）、ポリマーメモリ（例えば、強誘電体ポリマーメモリ）、層変化メモリ（例えば、ＯＵＭ）、強誘電体メモリ、ＳＯＮＯＳ（シリコン−酸化物−窒化物−酸化物−シリコン）メモリ、ディスク（例えば、フロッピーディスク（登録商標）、ハードドライブ、光ディスク、磁気ディスク、光磁気ディスク）、またはカード（例えば、磁気カード、光カード）、テープ、カセット、等を含むとしてよい。実施形態はこれに限定されない。
【００６４】
装置１００のような一部の実施形態は、通信システムの一部として実装され得る。通信システムは、互いに情報またはデータをやり取りする複数のロジックデバイスを備えるとしてもよい。無線通信システムとして実装される場合、１以上のロジックデバイスは、無線通信に適切なさまざまな素子を含むとしてよい。そのような素子の例を挙げると、１以上のアンテナ、送信機、受信機、送受信機、ラジオ、増幅器、フィルタ、通信インターフェース等の無線素子がある。無線通信システムは、例えばＲＦスペクトルの１以上の部分または帯域といった無線通信媒体を介して、情報又はデータを通信する。有線通信システムとして実装される場合、１以上のロジックデバイスは、有線通信に適切なさまざまな素子を含むとしてよい。そのような素子の例を挙げると、１以上の入出力（Ｉ／Ｏ）アダプタ、Ｉ／Ｏアダプタを対応する有線通信媒体に接続する物理的コネクタ、通信インターフェース、ネットワークインターフェースカード（ＮＩＣ）等の有線素子がある。有線通信媒体の例を挙げると、ワイヤ、ケーブル、金属鉛、プリント配線基板（ＰＣＢ）、バックプレーン、スイッチファブリック、半導体材料、ツイストペア線、同軸ケーブル、光ファイバ等を含むとしてよい。実施形態はこれに限定されない。
【００６５】
一部の実施形態は、製造物品として利用され得る。製造物品とは、１以上の実施形態に係るさまざまな処理を実行するためのロジックおよび／またはデータを格納する格納媒体を含むとしてよい。格納媒体は、データまたは情報を格納することができるものであればどのような格納媒体であってもよく、例を挙げると、揮発性または不揮発性メモリ、着脱可能または着脱不可メモリ、消去可能または消去不可メモリ、書込み可能または書き換え可能メモリ等がある。格納媒体の例を挙げると、これらに限定されないが、メモリユニットの例として先に挙げたものがあるとしてよい。さまざまな実施形態によると、例えば、製造物品は、汎用プロセッサまたは特定用途向けプロセッサによる実行に適したコンピュータプログラム命令を有する磁気ディスク、光ディスク、フラッシュメモリ、またはファームウェアを含むとしてよい。しかし、実施形態はこれに限定されない。
【００６６】
さまざまな実施形態は、ハードウェア素子、ソフトウェア素子、またはその組み合わせを用いて実装され得る。ハードウェア素子の例を挙げると、ロジックデバイスの例として先に挙げたもののうちいずれであってもよく、さらに、マイクロプロセッサ、回路、回路素子（例えば、トランジスタ、抵抗、コンデンサ、インダクタ等）、集積回路、ロジックゲート、レジスタ、半導体デバイス、チップ、マイクロチップ、チップセット等であってよい。ソフトウェア素子の例を挙げると、ソフトウェア部品、プログラム、アプリケーション、コンピュータプログラム、アプリケーションプログラム、システムプログラム、機械プログラム、オペレーティングシステムソフトウェア、ミドルウェア、ファームウェア、ソフトウェアモジュール、ルーチン、サブルーチン、機能、方法、手続き、ソフトウェアインターフェース、アプリケーションプログラムインターフェース（ＡＰＩ）、命令セット、コンピューティングコード、コンピュータコード、コードセグメント、コンピュータコードセグメント、言語、値、シンボルまたはこれらの任意の組み合わせ等を含むとしてよい。実施形態をハードウェア素子および／またはソフトウェア素子を用いて実装するか否かは、さまざまな要因および任意の実装で所望される内容に応じて判断され得るが、そのような要因には、所望の計算レート、電力レベル、耐熱性、処理サイクル割り当て量、入力データレート、出力データレート、メモリリソース、データバス速度等、設計上または性能上の制約がある。
【００６７】
一部の実施形態は、「結合」および「接続」という用語を用いて説明している。このような用語は、必ずしも互いに対する同義語として用いられているわけではない。例えば、一部の実施形態の説明では、「接続」および／または「結合」という用語を用いて、２つ以上の素子が互いに直接、物理的または電気的に、接触していることを指しているとしてもよい。しかし、「結合」という用語は同時に、２つ以上の素子が互いに直接は接触していないが、互いに協働または相互作用することを意味するとしてもよい。
【００６８】
ここで、「開示の要約」は、読み手が開示技術内容の本質を速やかに把握できるように要約を求めている米国特許法施行規則セクション１．７２（ｂ）を遵守するべく提供されていることを強調しておきたい。要約は、請求項の範囲または意味を解釈または限定するべく利用されないという理解のもとで提出されている。また、上述の「詳細な説明」においては、開示内容を簡潔にすることを目的として、さまざまな特徴を1つの実施形態にまとめている。このように開示しているからといって、請求している実施形態が各請求項に明示的に記載されているより多くの特徴を必要とする、という意図を反映していると解釈されるべきではない。逆に、以下の請求項から分かるように、進歩的な主題は1つの開示されている実施形態の全ての特徴より少ない特徴に存在する。このため、以下の請求項は、詳細な説明に組み込まれるものであり、各請求項はそれ自身が1つの個別の好ましい実施形態として成立する。以下の請求項においては、「備える（ｃｏｍｐｒｉｓｉｎｇ）」および「ここにおいて（ｗｈｅｒｅｉｎ）」といった用語の類義語でより平易な英語である「含む（ｉｎｃｌｕｄｉｎｇ）」および「ここで（ｉｎ  ｗｈｉｃｈ）」を用いる。さらに、「第１」、「第２」、「第３」等の用語は区別のために用いられているに過ぎず、対象について数に関する要求を課すためのものではない。
【００６９】
本発明の主題は構造的特徴および／または方法論的動作に特有の用語を用いて説明してきたが、請求項で定義されている主題は、上述した特定の特徴または動作に必ずしも限定されるわけではないと理解されたい。逆に、上述した特定の特徴および動作は、請求項を実装する形態の例として開示されている。
【図１】
2010514372.tif 000013
【図２】
2010514372.tif 000014
【図３】
2010514372.tif 000015
【図４】
2010514372.tif 000016
【図５】
2010514372.tif 000017
【図６】
2010514372.tif 000018
【図７】
2010514372.tif 000019
【図８】
2010514372.tif 000020
【手続補正書】
【提出日】平成21年7月22日(2009.7.22)
【手続補正１】
【補正対象書類名】特許請求の範囲
【補正対象項目名】全文
【補正方法】変更
【補正の内容】
【特許請求の範囲】
【請求項１】
マッチング率値に基づいて、加入局によって測定されるべき直交周波数分割多重接続システムのリソースブロックの数を表すチャネル品質指標フィードバック寸法値を決定する基地局ロジックを有する基地局と、
前記加入局に前記チャネル品質指標フィードバック寸法値を送信する送受信機と
を備える装置。
【請求項２】
前記基地局ロジックは、前記チャネル品質指標フィードバック寸法値を大きくして、前記マッチング率値を大きくする
請求項１に記載の装置。
【請求項３】
前記基地局ロジックは、前記システムに対してサービスを要求している加入局の数を表す加入局値と、前記システムに割り振られているリソースブロックの数を表すマッチング群値と、前記加入局に割り当てられているリソースブロックの数を表すマッチングサイズ値とに基づいて前記マッチング率値を決定する
請求項１に記載の装置。
【請求項４】
前記チャネル品質指標フィードバック寸法値を受信して、前記チャネル品質指標フィードバック寸法値が指し示す１以上のリソースブロックのチャネル品質を測定して、前記チャネル品質の測定値を表すチャネル品質指標を前記基地局に送信する加入局ロジックを有する加入局
を備える、請求項１に記載の装置。
【請求項５】
前記送受信機に結合されている全方向性アンテナ
を備える、請求項１に記載の装置。
【請求項６】
マッチング率値に基づいて、加入局によって測定されるべき直交周波数分割多重接続システムのリソースブロックの数を表すチャネル品質指標フィードバック寸法値を決定する段階と、
前記加入局に前記チャネル品質指標フィードバック寸法値を送信する段階と
を備える方法。
【請求項７】
前記加入局からの前記チャネル品質指標フィードバック寸法値が指し示す前記リソースブロックについてのチャネル品質測定値を表すチャネル品質指標を受信する段階
を備える、請求項６に記載の方法。
【請求項８】
前記チャネル品質指標フィードバック寸法値を大きくすることで、前記マッチング率値を大きくさせる段階
を備える、請求項６に記載の方法。
【請求項９】
リソースブロックが割り振られている加入局の数と、前記システムに対してサービスを要求している加入局の数または前記システムに割り振られているリソースブロックの数との比率を表す前記マッチング率値を決定する段階
を備える、請求項６に記載の方法。
【請求項１０】
前記システムに対してサービスを要求している加入局の数を表す加入局値と、前記システムに割り振られているリソースブロックの数を表すマッチング群値と、前記加入局に割り当てられているリソースブロックの数を表すマッチングサイズ値とに基づいて前記マッチング率値を決定する段階
を備える、請求項６に記載の方法。
【請求項１１】
前記システムに対してサービスを要求する加入局の数を表す加入局値に基づいて前記マッチング率値を決定する段階
を備え、
前記マッチング率値は、前記加入局値が大きくなると、小さくなる
請求項６に記載の方法。
【請求項１２】
前記チャネル品質指標フィードバック寸法値を大きくすることで、前記マッチング率値を大きくさせる段階
を備える、請求項６に記載の方法。
【請求項１３】
基地局からのチャネル品質指標フィードバック寸法値を加入局で受信する段階と、
前記チャネル品質指標フィードバック寸法値が指し示す、直交周波数分割多重接続システムの１以上のリソースブロックについてチャネル品質を測定する段階と、
前記チャネル品質の測定値を表すチャネル品質指標を前記基地局に送信する段階と
を備える方法。
【請求項１４】
未割り当てのリソースブロックを特定する段階と、
前記チャネル品質指標フィードバック寸法値が指し示す、複数の前記未割り当てのリソースブロックについてチャネル品質を測定する段階と
を備える、請求項１３に記載の方法。
【請求項１５】
定められたリンク品質値よりもリンク品質値が低い割り当て済みリソースブロックを特定する段階と、
前記チャネル品質指標フィードバック寸法値が指し示す、複数の前記割り当て済みリソースブロックについてチャネル品質を測定する段階と
を備える、請求項１３に記載の方法。
【請求項１６】
コンピュータに、
マッチング率値に基づいて、加入局によって測定されるべき直交周波数分割多重接続システムのリソースブロックの数を表すチャネル品質指標フィードバック寸法値を決定させる手順と、
前記加入局に前記チャネル品質指標フィードバック寸法値を送信させる手順と、
を実行させる、
プログラム。
【請求項１７】
コンピュータに、
前記加入局からの前記チャネル品質指標フィードバック寸法値が指し示す前記リソースブロックについてのチャネル品質測定値を表すチャネル品質指標を受信させる手順、
をさらに備える、
請求項１６に記載のプログラム。
【請求項１８】
コンピュータに、
前記チャネル品質指標フィードバック寸法値を大きくさせて前記マッチング率値を大きくさせる手順、
をさらに備える、
請求項１６に記載のプログラム。
【請求項１９】
コンピュータに、
リソースブロックが割り振られている加入局の数と、前記システムに対してサービスを要求している加入局の数または前記システムに割り振られているリソースブロックの数との比率を表す前記マッチング率値を決定させる手順、
をさらに備える、
請求項１６に記載のプログラム。
【請求項２０】
コンピュータに、
前記システムに対してサービスを要求している加入局の数を表す加入局値と、前記システムに割り振られているリソースブロックの数を表すマッチング群値と、前記加入局に割り当てられているリソースブロックの数を表すマッチングサイズ値とに基づいて前記マッチング率値を決定させる手順、
をさらに備える、
請求項１６に記載のプログラム。
【請求項２１】
コンピュータに、
前記システムに対してサービスを要求する加入局の数を表す加入局値に基づいて前記マッチング率値を決定させる手順、
をさらに備え、
前記マッチング率値は、前記加入局値が大きくなると、小さくなる
請求項１６に記載のプログラム。
【請求項２２】
コンピュータに、
前記チャネル品質指標フィードバック寸法値を大きくさせて、前記マッチング率値を大きくする手順、
をさらに備える、
請求項１６に記載のプログラム。
【請求項２３】
コンピュータに、
基地局からのチャネル品質指標フィードバック寸法値を加入局で受信させる手順と、
前記チャネル品質指標フィードバック寸法値が指し示す、直交周波数分割多重接続システムの１以上のリソースブロックについてチャネル品質を測定させる手順と、
前記チャネル品質の測定値を表すチャネル品質指標を前記基地局に送信させる手順と、
を実行させる、
プログラム。
【請求項２４】
コンピュータに、
未割り当てのリソースブロックを特定させる手順と、
前記チャネル品質指標フィードバック寸法値が指し示す、複数の前記未割り当てのリソースブロックについてチャネル品質を測定させる手順と、
をさらに備える
請求項２３に記載のプログラム。
【請求項２５】
コンピュータに、
定められたリンク品質値よりもリンク品質値が低い割り当て済みリソースブロックを特定させる手順と、
前記チャネル品質指標フィードバック寸法値が指し示す、複数の前記割り当て済みリソースブロックについてチャネル品質を測定させ手順と、
をさらに備える
請求項２３に記載のプログラム。
【国際調査報告】
2010514372.tif 000021
2010514372.tif 000022